Podtech/llm-jp-corpus-v4-ja_patent huggingface dataset:
【手続補正書】
【提出日】平成20年3月17日(2008.3.17)
【手続補正１】
【補正対象書類名】特許請求の範囲
【補正対象項目名】全文
【補正方法】変更
【補正の内容】
【特許請求の範囲】
【請求項１】
複数の情報処理端末が通信網を介して接続されるように構成されたサーバ装置上で実行されるコンテンツ配信方法であって、
利用者の操作する情報処理端末からの配信要求に応答して、通信網を介してサーバ装置から前記情報処理端末へゲームコンテンツを配信し、前記情報処理端末において配信されたゲームコンテンツの実行を許可する段階と、
前記通信網を介して前記情報処理端末から前記ゲームコンテンツの実行に対するゲーム成績を取得し前記ゲーム成績に応じたポイントを前記サーバ装置に登録する段階と、
前記ポイントが登録された利用者に対し抽選を実行し景品の当選者を選定する段階と、
を含むコンテンツ配信方法。
【請求項２】
請求項１に記載のコンテンツ配信方法において、
前記ゲームコンテンツは、前記情報端末上に景品を配列した画面を表示し、前記画面上で景品を取得するゲームの実行を許可する景品取得ゲームのコンテンツであり、
前記当選者に配送される景品は使用者が前記画面上で前記景品取得ゲームの実行で取得した景品に対応する実物景品である、コンテンツ配信方法。
【請求項３】
請求項１または請求項２記載のコンテンツ配信方法において、
前記画面上に表示される景品にはそれぞれポイントが割り当てられており、利用者に前記画面上で獲得した景品に対応したポイントが与えられ、ゲーム参加者の中でポイントが上位にある場合に、景品の当選者として選定する、コンテンツ配信方法。
【請求項４】
請求項１乃至請求項３のうち何れか１項に記載のコンテンツ配信方法において、
前記画面上に表示される前記景品は２次元座標で定義される位置情報を有しており、前記利用者の入力した座標が予め定められた座標と一致した場合に、当該景品を取得する画像を前記情報処理端末において表示するための画像データを通信網を介して情報処理端末へ送信する、コンテンツ配信方法。
【請求項５】
請求項１乃至請求項４のうち何れか１項に記載のコンテンツ配信方法において、
前記情報処理端末装置にて動画表示をするための予め順序付けされた１コマの画像データを、通信網を介して前記情報処理端末へ連続的に送信する、コンテンツ配信方法。
【請求項６】
請求項１乃至請求項５のうち何れか１項に記載のコンテンツ配信方法において、
ゲームコンテンツの内容を予め電子メールで利用者の前記情報処理端末に告知する、コンテンツ配信方法。
【請求項７】
請求項１乃至請求項６のうち何れか１項に記載のコンテンツ配信方法において、
複数の利用者がゲーム成績を競うゲームイベントの内容を予め電子メールで前記利用者の前記情報処理端末に告知する、コンテンツ配信方法。
【請求項８】
請求項１乃至請求項７のうち何れか１項に記載のコンテンツ配信方法において、
前記情報処理端末は移動通信端末である、コンテンツ配信方法。
【請求項９】
複数の情報処理端末が通信網を介して接続されるように構成されたサーバ装置上で実行されるコンテンツ配信方法であって、
利用者の操作する情報処理端末からの配信要求に応答して、通信網を介してサーバ装置から前記情報処理端末へゲームコンテンツを配信し、前記情報処理端末において配信されたゲームコンテンツの実行を許可する段階と、
前記通信網を介して前記情報処理端末から前記ゲームコンテンツの実行に対するゲーム成績を取得し前記ゲーム成績に応じて前記利用者にポイントを与える段階と、
を含み、
前記情報処理端末へ配信されるゲームコンテンツは、前記情報端末上に景品を配列した画面を仮想的に表示し、前記画面上で景品を取得するゲームの実行を許可する景品取得ゲームプログラムであり、
前記コンテンツ配信方法は、さらに、
前記画面上で仮想的に取得した景品に対応する実物景品を前記利用者に配送するか否かを前記利用者に与えられたポイントに基づき決定する段階と、
前記情報処理端末から前記通信網を介して、前記利用者が入力した、前記実物景品の配送先に関する情報を取得する段階と、
を含む、コンテンツ配信方法。
【請求項１０】
請求項９記載のコンテンツ配信方法であって、
前記情報処理端末に配送される景品取得ゲームプログラムは、選択すべきキャラクタの種類を表示画面に表示させるステップと、利用者の選択操作に応じて仮想的なキャラクタ景品複数個と仮想的なクレーンと仮想的な排出口とをそれぞれ前記情報処理端末の表示画面に表示させるステップと、前記利用者の入力操作に従って、前記クレーンが前記仮想的キャラクタ景品をキャッチし前記仮想的排出口まで移動することによって前記仮想的キャラクタ景品を取得する様子を前記表示画面に表示させるステップと、を前記情報処理端末上で実行させるものであるコンテンツ配信方法。
【請求項１１】
請求項１０に記載のコンテンツ配信方法であって、
前記景品取得ゲームにおいて利用者が前記仮想的キャラクタを取得できる確率を定めた情報を、前記通信網を介して送信し前記情報処理端末へ配信し、前記仮想的キャラクタ景品を取得する確率を調整する段階をさらに含むコンテンツ配信方法。
【請求項１２】
請求項９乃至請求項１１のいずれか記載のコンテンツ配信方法であって、
前記景品取得ゲームプログラムは、前記表示画面に表示される前記仮想的キャラクタ景品の配置位置に対応付けられた代表点を表示するステップと、前記利用者の操作に応じて移動する前記クレーンの位置に対応付けられたカーソルを表示するステップと、前記クレーンの移動に伴い前記カーソルを移動させるステップと、を前記情報処理端末に実行させるものである、コンテンツ配信方法。
【手続補正書】
【提出日】平成20年9月30日(2008.9.30)
【手続補正１】
【補正対象書類名】明細書
【補正対象項目名】特許請求の範囲
【補正方法】変更
【補正の内容】
【特許請求の範囲】
【請求項１】  複数の図柄が帯状に配されている複数の図柄列と、
各図柄列の変動を開始するとともに前記各図柄列の変動を停止する図柄列制御手段と、
前記各図柄列に配されている複数の図柄のうちの連続して配されているＮ個（Ｎは２以上の整数）の図柄を表示する表示部とを備え、
前記各図柄列の変動を開始して全ての図柄列の変動を停止することによって１回のゲームが行なわれ、
全ての図柄列の変動が停止したときに前記表示部に所定の図柄の組合せが表示されると遊技者に有利な遊技状態に切換えられ、
一つの図柄列には第１特定図柄がＮ個以上連続した部分が含まれるとともに、
他の図柄列には前記第１特定図柄と前記第１特定図柄と異なる第２特定図柄との双方が配され、
前記所定の図柄の組合せは、全ての図柄列の第１特定図柄が組み合わさって構成される第１の組合せと、
前記第１特定図柄がＮ個以上連続した部分が含まれる図柄列の前記第１特定図柄と他の全ての図柄列の前記第２特定図柄とが組合わさって構成される第２の組合せとがあり、
前記図柄列制御手段は、
前記第１特定図柄がＮ個以上連続した部分が含まれる図柄列の前記第１特定図柄がＮ個連続して前記表示部に表示されるゲームでは、前記表示部に前記第２の組合せが表示されるように各図柄列の変動を停止するとともに、
前記第１特定図柄がＮ個以上連続した部分が含まれる図柄列の前記第１特定図柄がＮ個連続して前記表示部に表示されないゲームでは、前記表示部に前記第２の組合せが表示されないように各図柄列の変動を停止させることを特徴とする遊技機。
【請求項２】 請求項１記載の遊技機において、
全ての図柄列に前記第１特定図柄がＮ個以上連続して配されているとともに、前記全ての図柄列に前記第２特定図柄が配されていることを特徴とする遊技機。
【手続補正書】
【提出日】平成20年7月29日(2008.7.29)
【手続補正１】
【補正対象書類名】明細書
【補正対象項目名】特許請求の範囲
【補正方法】変更
【補正の内容】
【特許請求の範囲】    【請求項１】遊技の進行に伴い所定の遊技動作を実行する動作機器と、互いに作動周波数が高低に異なる２つの回路素子を有し、その一方の回路素子がより高い作動周波数で動作機器の作動を制御し、他方の回路素子がより低い作動周波数で外部との通信を行う機器制御基板と、この機器制御基板に接続され、その外部にて他方の回路素子との間で通信を行う関連制御基板とを備えている、遊技機。 【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】  【課題を解決するための手段】  本発明の遊技機は、遊技の進行に伴い所定の遊技動作を実行する動作機器と、互いに作動周波数が高低に異なる２つの回路素子を有し、その一方の回路素子がより高い作動周波数で動作機器の作動を制御し、他方の回路素子がより低い作動周波数で外部との通信を行う機器制御基板と、この機器制御基板に接続され、その外部にて他方の回路素子との間で通信を行う関連制御基板とを備えている（解決手段１）。
【手続補正書】
【提出日】平成20年3月12日(2008.3.12)
【手続補正１】
【補正対象書類名】特許請求の範囲
【補正対象項目名】全文
【補正方法】変更
【補正の内容】
【特許請求の範囲】
【請求項１】
遊技球が入球可能な入球手段と、前記入球手段に遊技球が入球したことに基づいて動作可能となる入賞装置とが、遊技球が打ち込まれる遊技領域の所定箇所にそれぞれ配設された遊技盤を備えた遊技機において、
前記遊技盤は、前記入賞装置を複数個備え、
前記入球手段に遊技球が入球したことに基づいて前記複数個の入賞装置のうちで動作させるべき所定の入賞装置を抽選する抽選手段と、
前記抽選手段での抽選結果に基づいて、前記入賞装置を動作させる制御を行う動作制御手段と
を備えていることを特徴とする遊技機。
【請求項２】
請求項１に記載の遊技機において、
前記抽選手段で抽選された結果を表示する抽選表示手段を備えることを特徴とする遊技機。
【請求項３】
請求項１または２に記載の遊技機において、
前記動作制御手段は、前記複数個の入賞装置の所定の入賞装置が第１の動作内容で動作するように制御する第１動作制御手段と、それ以外の所定の入賞装置が第１の動作内容とは異なる第２の動作内容で動作するように制御する第２動作制御手段とを備えることを特徴とする遊技機。
【請求項４】
請求項１から３のいずれか一つに記載の遊技機において、
前記複数個の入賞装置は、前記遊技盤を正面視した状態で遊技領域に縦並びに配設され、
前記各入賞装置は、その右側箇所に右開きの羽根を備え、且つ、その左側箇所に左開きの羽根を備えている
ことを特徴とする遊技機。
【請求項５】
請求項４に記載の遊技機において、
前記抽選手段は、上側の前記入賞装置を動作させるか、下側の前記入賞装置を動作させるか、あるいは、上側及び下側の前記入賞装置をともに動作させないかを抽選する
ことを特徴とする遊技機。
【手続補正書】
【提出日】平成20年3月25日(2008.3.25)
【手続補正１】
【補正対象書類名】特許請求の範囲
【補正対象項目名】全文
【補正方法】変更
【補正の内容】
【特許請求の範囲】
【請求項１】
ヒトAILIMに結合するヒトモノクローナル抗体であって、該ヒトモノクローナル抗体とAILIMとの結合速度定数（ｋａ）が、1.0×103(1/M.Sec)以上の数値であることを特徴とするヒトモノクローナル抗体。
【請求項２】
該結合速度定数（ｋａ）が、1.0×104(1/M.Sec)以上の数値であることを特徴とする請求項１に記載のヒトモノクローナル抗体。
【請求項３】
該結合速度定数（ｋａ）が、1.0×105(1/M.Sec)以上の数値であることを特徴とする請求項２に記載のヒトモノクローナル抗体。
【請求項４】
ヒトAILIMに結合するヒトモノクローナル抗体であって、該ヒトモノクローナル抗体とAILIMとの解離速度定数（ｋｄ）が、1.0×10-3(1/Sec)以下の数値であることを特徴とするヒトモノクローナル抗体。
【請求項５】
該解離速度定数（ｋｄ）が、1.0×10-4(1/Sec)以下の数値であることを特徴とする請求項４に記載のヒトモノクローナル抗体。
【請求項６】
該解離速度定数（ｋｄ）が、1.0×10-5(1/Sec)以下の数値であることを特徴とする請求項５に記載のヒトモノクローナル抗体。
【請求項７】
該ヒトモノクローナル抗体が、ヒト抗体を産生する能力を有するトランスジェニック非ヒト哺乳動物に由来するモノクローナル抗体であることを特徴とする請求項１乃至請求項６のいずれかに記載のヒトモノクローナル抗体。
【請求項８】
該ヒトモノクローナル抗体が、AILIMを発現する細胞、該細胞に由来する膜画分、AILIMを構成する分子の全部若しくは一部、またはAILIMをコードする遺伝子またはその一部を、ヒト抗体を産生する能力を有するトランスジェニック非ヒト哺乳動物に免疫することにより得られるモノクローナル抗体であることを特徴とする請求項７に記載のヒトモノクローナル抗体。
【請求項９】
該トランスジェニック非ヒト哺乳動物が、トランスジェニックマウスであることを特徴とする請求項７または請求項８に記載のヒトモノクローナル抗体。
【請求項１０】
請求項１乃至９のいずれかに記載のヒトモノクローナル抗体の一部、但し、該一部は、AILIMとの結合速度定数（ｋａ）が、1.0×103(1/M.Sec)以上及び／又は解離速度定数（ｋｄ）が、1.0×10-3(1/Sec)以下の数値であり、さらに以下の（a）乃至（c）のいずれかの特徴を有する：
（a）混合リンパ球反応を抑制する活性を有する；
（b）Ｔ細胞にコスティミュレイトリーシグナルを伝達し、該Ｔ細胞の増殖若しくは該Ｔ細胞からのインターフェロンγの産生を誘導する活性を有する；または
（c）AILIMを発現する細胞に対する細胞障害を誘導する活性を有する。
【請求項１１】
請求項１乃至請求項９のいずれかに記載のヒトモノクローナル抗体を産生する細胞。
【請求項１２】
該細胞が、該ヒトモノクローナル抗体を産生する能力を哺乳動物由来のＢ細胞と哺乳動物由来のミエローマ細胞とを融合して得られる融合細胞であることを特徴とする請求項１１に記載の細胞。
【請求項１３】
請求項１乃至請求項９のいずれかに記載のヒトモノクローナル抗体又は請求項１０に記載のヒトモノクローナル抗体の一部、及び薬学的に許容され得る担体とを含んでなる医薬組成物。
【請求項１４】
遅延型アレルギーを抑制、治療または予防するための請求項１３に記載の医薬組成物。
【請求項１５】
関節リウマチ、全身性エリテマトーデス、または乾癬を抑制、治療または予防するための請求項１３に記載の医薬組成物。
【手続補正書】
【提出日】平成20年2月29日(2008.2.29)
【手続補正１】
【補正対象書類名】特許請求の範囲
【補正対象項目名】全文
【補正方法】変更
【補正の内容】
【特許請求の範囲】
【請求項１】
入力したデータを先入れ先出し方式のバッファを介して出力するデータ処理装置であって、
第１ＦＩＦＯと、
前記第１ＦＩＦＯよりも高速で、且つ容量の小さい第２ＦＩＦＯと、
入力したデータを前記第１ＦＩＦＯに入力するか、前記第２ＦＩＦＯに入力するかを制御信号に応じて切り替える選択回路と、
少なくともデータの入出力タイミングに応じて前記制御信号を発生して前記選択回路に供給する判定手段と、
前記第２ＦＩＦＯに入力したデータを出力する出力手段とを有し、
前記第１ＦＩＦＯに入力したデータは、前記第２ＦＩＦＯを介して出力されることを特徴とするデータ処理装置。
【請求項２】
入力したデータを先入れ先出し方式のバッファを介して出力するデータ処理装置であって、
第１ＦＩＦＯと、
前記第１ＦＩＦＯよりも高速で且つメモリ容量が小さいＦＩＦＯであって、入力したデータを格納する第２ＦＩＦＯと、
前記第２ＦＩＦＯに入力したデータを前記第２ＦＩＦＯから直接出力するか、前記第１ＦＩＦＯを介して出力するかを制御信号に応じて切り替える選択回路と、
少なくともデータの入出力タイミングに応じて前記制御信号を発生して前記選択回路に供給する判定手段と、
前記選択回路による選択に従って、前記第２ＦＩＦＯに入力したデータを前記第２ＦＩＦＯから、或は前記第１ＦＩＦＯを介して出力する出力手段と、
を有することを特徴とするデータ処理装置。
【請求項３】
前記判定手段は、更に、前記データの発生源の状態変数、前記データの受取り先の状態変数に基づいて前記制御信号を発生することを特徴とする請求項１又は２に記載のデータ処理装置。
【手続補正２】
【補正対象書類名】明細書
【補正対象項目名】０００１
【補正方法】変更
【補正の内容】
【０００１】
本発明は、先入れ先出し方式のバッファ（ＦＩＦＯ）に関する。
【手続補正３】
【補正対象書類名】明細書
【補正対象項目名】０００９
【補正方法】変更
【補正の内容】
【０００９】
本願発明の一態様に係るデータ処理装置は、以下のような構成を備える。即ち、
入力したデータを先入れ先出し方式のバッファを介して出力するデータ処理装置であって、
第１ＦＩＦＯと、
前記第１ＦＩＦＯよりも高速で、且つ容量の小さい第２ＦＩＦＯと、
入力したデータを前記第１ＦＩＦＯに入力するか、前記第２ＦＩＦＯに入力するかを制御信号に応じて切り替える選択回路と、
少なくともデータの入出力タイミングに応じて前記制御信号を発生して前記選択回路に供給する判定手段と、
前記第２ＦＩＦＯに入力したデータを出力する出力手段とを有し、
前記第１ＦＩＦＯに入力したデータを前記第２ＦＩＦＯを介して出力することを特徴とする。
【手続補正４】
【補正対象書類名】明細書
【補正対象項目名】００１０
【補正方法】変更
【補正の内容】
【００１０】
また本願発明の一態様に係るデータ処理装置は、以下のような構成を備える。即ち、
入力したデータを先入れ先出し方式のバッファを介して出力するデータ処理装置であって、
第１ＦＩＦＯと、
前記第１ＦＩＦＯよりも高速で且つメモリ容量が小さいＦＩＦＯであって、入力したデータを格納する第２ＦＩＦＯと、
前記第２ＦＩＦＯに入力したデータを前記第２ＦＩＦＯから直接出力するか、前記第１ＦＩＦＯを介して出力するかを制御信号に応じて切り替える選択回路と、
少なくともデータの入出力タイミングに応じて前記制御信号を発生して前記選択回路に供給する判定手段と、
前記選択手段による選択に従って、前記第２ＦＩＦＯに入力したデータを前記第２ＦＩＦＯから、或は前記第１ＦＩＦＯを介して出力する出力手段と、
を有することを特徴とする。
【手続補正５】
【補正対象書類名】明細書
【補正対象項目名】００３２
【補正方法】変更
【補正の内容】
【００３２】
これに対して図５の例では、最初の２つのデータ「１」「２」は、図４の場合と同様にして順次レジスタ１２４に格納される。そしてデータ「２」の出力時に出力処理部１０２からの受信不可信号２０６が「１」であるためデータ２０４が出力できなくなってレジスタ１２４に空きがなくなるため、次のデータ「３」はレジスタ１２４が空くのを待つ状態となる。そして前述の図４と同じタイミングで、出力処理部１０２からの受信不可信号２０６が「０」となってレジスタ１２４からのデータ「２」が出力処理部１０２で受信される。次のデータ「４」は、図４の場合と同様に、データ「３」の１サイクルタイム後にデータ２０４として出力処理部１０２に出力される。
【手続補正６】
【補正対象書類名】明細書
【補正対象項目名】００５０
【補正方法】変更
【補正の内容】
【００５０】
ＦＩＦＯ１００ａは、判定回路１１８と、ＦＩＦＯ制御部１３０と、低速なメモリ１２１と、入力のデマルチプレクサ１２０と、出力のマルチプレクサ１２２と、高速なレジスタ１２４とを備えている。
【手続補正書】
【提出日】平成20年7月31日(2008.7.31)
【手続補正１】
【補正対象書類名】特許請求の範囲
【補正対象項目名】全文
【補正方法】変更
【補正の内容】
【特許請求の範囲】
【請求項１】
オブジェクトが登場する仮想の３次元ゲーム空間を仮想カメラから見たゲーム画像を表示する表示装置と、当該表示装置の画面上に設けられるタッチパネルとを有するゲーム装置のコンピュータで実行されるゲームプログラムであって、
前記仮想カメラのパラメータの値を設定する第１のカメラ設定ステップと、
前記第１のカメラ設定ステップにおいて設定されたパラメータに従ってゲーム画像を前記表示装置に表示させる第１の表示ステップと、
前記第１の表示ステップによってゲーム画像が表示されているときに前記タッチパネルへの入力が行われたか否かを判別するタッチ入力判別ステップと、
前記タッチパネルへの入力が行われたことが判別されたとき、当該入力によって指示されるオブジェクトを特定するオブジェクト特定ステップと、
前記タッチパネルへの入力が行われたことが判別されたときに、前記特定されたオブジェクトをズームアップするように前記仮想カメラのパラメータの値を変更する第２のカメラ設定ステップと、
前記第２のカメラ設定ステップにおいて変更された後のパラメータに従ってゲーム画像を前記表示装置に表示させる第２の表示ステップとを前記コンピュータに実行させる、ゲームプログラム。
【請求項２】
前記オブジェクト毎に所定の領域を設定する領域設定ステップをさらに前記コンピュータに実行させ、
前記オブジェクト特定ステップにおいて、前記領域が指示されるときに前記オブジェクトが特定されることを特徴とする、請求項１記載のゲームプログラム。
【請求項３】
前記領域設定ステップにおいて設定される領域は球であることを特徴とする、請求項２記載のゲームプログラム。
【請求項４】
前記第２のカメラ設定ステップにおいて、前記仮想カメラの注視点を前記特定されたオブジェクトの所定点に合わせるとともに前記仮想カメラの画角を前記特定されたオブジェクトに設定されている前記領域に基づいて設定することで前記仮想カメラのパラメータの値が変更される、請求項２記載のゲームプログラム。
【請求項５】
前記オブジェクト特定ステップにおいてオブジェクトが特定されたとき、前記タッチパネルへの入力が継続して行われている時間が第１の所定値を越えたか否かを判定する第１の条件判別ステップを更に前記コンピュータに実行させ、
前記第２のカメラ設定ステップは、前記第１の条件判別ステップにおいて第１の所定値を越えたことが判別されたとき、前記パラメータの値を変更することを特徴とする、請求項１記載のゲームプログラム。
【請求項６】
前記オブジェクト特定ステップにおいてオブジェクトが特定されたとき、前記タッチパネルへの入力が継続して行われている時間が第２の所定値を越えたか否かを判別する第２の条件判別ステップと、
前記第２の条件判別ステップにおいて第２の所定値を越えたことが判別されたとき、記仮想カメラのパラメータの値を前記第１のカメラ設定ステップにおいて設定した値に戻す第３のカメラ設定ステップを前記コンピュータに実行させる、請求項１記載のゲームプログラム。
【請求項７】
前記第２の表示ステップによってゲーム画像が表示されているときの前記タッチパネルへの入力に基づいて前記オブジェクトを制御するオブジェクト制御ステップと、
前記オブジェクト制御ステップによる制御に基づいて前記第２の所定値を設定する第２の所定値設定ステップとをさらに前記コンピュータに実行させる、請求項６記載のゲームプログラム。
【請求項８】
オブジェクトが登場する仮想の３次元ゲーム空間を仮想カメラから見たゲーム画像を表示する表示装置と、当該表示装置の画面上に設けられるタッチパネルと、
前記仮想カメラのパラメータの値を設定する第１のカメラ設定手段と、
前記第１のカメラ設定手段において設定されたパラメータに従ってゲーム画像を前記表示装置に表示させる第１の表示手段と、
前記第１の表示手段によってゲーム画像が表示されているときに前記タッチパネルへの入力が行われたか否かを判別するタッチ入力判別手段と、
前記タッチパネルへの入力が行われたことが判別されたとき、当該入力によって指示されるオブジェクトを特定するオブジェクト特定手段と、
前記タッチパネルへの入力が行われたことが判別されたときに、前記特定されたオブジェクトをズームアップするように前記仮想カメラのパラメータの値を変更する第２のカメラ設定手段と、
前記第２のカメラ設定手段において変更された後のパラメータに従ってゲーム画像を前記表示装置に表示させる第２の表示手段とを有するゲーム装置。
【手続補正書】
【提出日】平成20年1月4日(2008.1.4)
【手続補正１】
【補正対象書類名】特許請求の範囲
【補正対象項目名】全文
【補正方法】変更
【補正の内容】
【特許請求の範囲】
【請求項１】
動的に情報の追加及び削除が可能なＩＣカードについて現行カードから更新カードへの切り替えを行うカード更新装置であって、
前記現行カードから読み取られた情報に基づいて当該現行カードの更新期限までの所定の期間内であることを判定する更新時期判定手段と、
前記所定の期間内であると判定されたときに前記更新カードの提示要求を出力する更新カード要求手段と、
前記更新カードに所定のアプリケーションを搭載するアプリケーション搭載手段とを有することを特徴とするカード更新装置。
【請求項２】
前記現行カードと前記更新カードとの対応関係を検証することにより前記更新カードの正当性を判定する更新カード判定手段を有することを特徴とする請求項１記載のカード更新装置。
【請求項３】
前記更新カード判定手段は、前記更新カードより読み取られた当該更新カードに対応する前記現行カードを識別するための情報に基づいて前記更新カードの正当性を判定することを特徴とする請求項２記載のカード更新装置。
【請求項４】
動的に情報の追加及び削除が可能なＩＣカードの発行者に係るカード発行者装置と、前記ＩＣカードに記録されているアプリケーションを用いてサービスを提供するサービス提供装置と、前記ＩＣカードについて現行カードから更新カードへの切り替えを行うカード更新装置とを有するカード更新システムであって、
前記カード更新装置は、
前記カード発行者装置より前記現行カードの更新期限を含む情報を受信する情報取得手段と、
前記サービス提供装置において前記現行カードから読み取られた情報と前記情報取得手段によって取得された情報とに基づいて当該現行カードの更新期限までの所定の期間内であることを判定する更新時期判定手段と、
前記所定の期間内であると判定されたときに前記更新カードの提示要求を前記サービス提供装置に出力させる更新カード要求手段と、
前記サービス提供装置において前記更新カードに所定のアプリケーションを搭載するアプリケーション搭載手段とを有することを特徴とするカード更新システム。
【請求項５】
前記カード更新装置は、前記現行カードと前記更新カードとの対応関係を検証することにより前記更新カードの正当性を判定する更新カード判定手段を有することを特徴とする請求項４記載のカード更新システム。
【請求項６】
前記更新カード判定手段は、前記更新カードより読み取られた当該更新カードに対応する前記現行カードを識別するための情報に基づいて前記更新カードの正当性を判定することを特徴とする請求項５記載のカード更新システム。
【請求項７】
動的に情報の追加及び削除が可能なＩＣカードについて現行カードから更新カードへの切り替えをコンピュータを用いて行うカード更新方法であって、
前記現行カードから読み取られた情報に基づいて当該現行カードの更新期限までの所定の期間内であることを判定する更新時期判定手順と、
前記所定の期間内であると判定されたときに前記更新カードの提示要求を出力する更新カード要求手順と、
前記更新カードに所定のアプリケーションを搭載するアプリケーション搭載手順とを有することを特徴とするカード更新方法。
【請求項８】
前記現行カードと前記更新カードとの対応関係を検証することにより前記更新カードの正当性を判定する更新カード判定手順を有することを特徴とする請求項７記載のカード更新方法。
【請求項９】
前記更新カード判定手順は、前記更新カードより読み取られた当該更新カードに対応する前記現行カードを識別するための情報に基づいて前記更新カードの正当性を判定することを特徴とする請求項８記載のカード更新方法。
【請求項１０】
動的に情報の追加及び削除が可能なＩＣカードについて現行カードから更新カードへの切り替えをコンピュータに実行させるカード更新プログラムであって、
前記現行カードから読み取られた情報に基づいて当該現行カードの更新期限までの所定の期間内であることを判定する更新時期判定手順と、
前記所定の期間内であると判定されたときに前記更新カードの提示要求を出力する更新カード要求手順と、
前記更新カードに所定のアプリケーションを搭載するアプリケーション搭載手順とを有することを特徴とするカード更新プログラム。
【請求項１１】
前記現行カードと前記更新カードとの対応関係を検証することにより前記更新カードの正当性を判定する更新カード判定手順を有することを特徴とする請求項１０記載のカード更新プログラム。
【請求項１２】
前記更新カード判定手順は、前記更新カードより読み取られた当該更新カードに対応する前記現行カードを識別するための情報に基づいて前記更新カードの正当性を判定することを特徴とする請求項１１記載のカード更新プログラム。
【請求項１３】
請求項１０乃至１２いずれか一項記載のカード更新プログラムを記録したコンピュータ読み取り可能な記録媒体。
【請求項１４】
動的に情報の追加及び削除が可能なＩＣカードであって、
当該ＩＣカードに更新される前のカードの識別情報が記録されていることを特徴とするＩＣカード。
【請求項１５】
当該ＩＣカードへの更新の際に、前記識別情報に基づいて当該ＩＣカードの正当性が検証されることを特徴とする請求項１４記載のＩＣカード。
【手続補正書】
【提出日】平成20年2月28日(2008.2.28)
【手続補正１】
【補正対象書類名】特許請求の範囲
【補正対象項目名】全文
【補正方法】変更
【補正の内容】
【特許請求の範囲】
【請求項１】
メールの宛先毎の個人情報が記憶されたアドレス帳記憶手段と、
画像等の付加情報が記憶された付加情報記憶手段と、
メールの宛先と本文を入力するメール入力手段と、
入力されたメール宛先に該当する前記個人情報を解析して当該宛先に対応した前記付加情報を抽出する宛先情報解析手段と、
前記抽出した付加情報の画面上の配置を表すレイアウト情報を設定して、当該レイアウト情報と前記入力されたメール本文と前記付加情報をメール宛先に送信するメール制御手段とを
具備することを特徴とする通信端末。
【請求項２】
前記個人情報は、宛先人の年齢、性別、住所、電話番号、趣味等の１つまたは複数であり、前記付加情報は、年齢に対応した画像、性別に対応した画像、住所や電話番号の地域に対応した画像、趣味に対応した画像等の１つまたは複数であることを特徴とする請求項１に記載の通信端末。
【請求項３】
前記レイアウト情報は、メール本文に続いてテキスト形式で記述した特殊コードであることを特徴とする請求項１に記載の通信端末。
【請求項４】
前記レイアウト情報は、添付ファイル中に記載されていることを特徴とする請求項１に記載の通信端末。
【請求項５】
前記レイアウト情報は、前記最適付加情報ファイルのファイル名中に記載されていることを特徴とする請求項１に記載の通信端末。
【請求項６】
メールの宛先毎の個人情報が記憶されたアドレス帳記憶手段と、
画像に割当てられたコードとそれに対応する文字列を記憶する画像コード記憶手段と、
メールの宛先と本文を入力するメール入力手段と、
前記入力されたメール宛先に該当する前記個人情報を解析して当該個人情報に所定の情報が含まれている場合には、入力されたメール本文の文字列から、前記画像コード記憶手段に記憶された文字列を抽出し、前記文字列に対応して前記画像コード記憶手段に記憶された画像コードをそのメールの情報に付加するレイアウト設定手段と、
前記レイアウト情報が付加されたメール情報をメールの宛先に送信するメール制御手段とを具備することを特徴とする通信端末。
【請求項７】
画像に割当てられたコードとそれに対応する文字列を記憶する画像コード記憶手段と、
メールの宛先と本文を入力するメール入力手段と、
入力されたメール本文の文字列から、前記画像コード記憶手段に記憶された文字列を抽出し、前記文字列に対応して前記画像コード記憶手段に記憶された画像コードをそのメールの情報に付加するレイアウト設定手段と、
前記レイアウト情報が付加されたメール情報をメールの宛先に送信するメール制御手段とを具備することを特徴とする通信端末。
【請求項８】
画像とそれに対応する文字列を記憶する画像記憶手段と、
文字列を取得する文字列取得手段と、
前記文字列取得手段によって取得された文字列を表示するときに、前記文字列取得手段によって取得された文字列から、前記画像コード記憶手段に記憶された文字列を抽出し、前記文字列に対応して前記画像記憶手段に記憶された画像を取得し、前記抽出された文字列に代えてその画像を表示する表示手段とを具備することを特徴とする通信端末。
【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
複数のトラックが定義された磁気ディスクと、
前記磁気ディスクにアクセスする磁気ヘッドを備えるヘッド／スライダと、
前記ヘッド／スライダを支持するヘッド支持機構と、
前記磁気ヘッドのフライング・ハイトを制御するＦＨ制御機構と、
前記磁気ディスクの表面に存在する突起物の位置情報と、前記フライング・ハイトを制御して前記突起物と前記磁気ヘッドとの接触を回避するのに必要な前記ＦＨ制御機構の操作量に対応した操作情報を登録した記録媒体と、
前記位置情報と前記操作情報を参照して前記ＦＨ制御機構を制御し前記突起物と前記磁気ヘッドとの接触を回避するプロセッサとを有し、
前記プロセッサは、現在トラックから目標トラックに向かって基準フライング・ハイトで前記ヘッド支持機構にシーク動作を開始させ、前記磁気ヘッドが前記突起物を含むトラックを通過する前に前記フライング・ハイトが前記基準フライング・ハイトよりも上昇し、前記磁気ヘッドが前記突起物を含むトラックを通過した後に前記フライング・ハイトが前記基準フライング・ハイトに戻るように前記ＦＨ制御機構を制御し、
前記プロセッサは、シーク動作を開始してから所定の時間が経過したときに前記ＦＨ制御機構に前記操作情報に基づく操作信号を供給する磁気ディスク装置。
【請求項２】
前記プロセッサは、前記複数のトラックを構成する各サーボ・セクタのアドレス情報を読み取り、前記突起物を含むトラックより所定数だけ手前のトラックで前記ＦＨ制御機構に前記操作情報に基づく操作信号を供給する請求項１記載の磁気ディスク装置。
【請求項３】
前記プロセッサは、基準フライング・ハイトで前記ヘッド支持機構に前記突起物を含むトラックに対してフォローイング動作をさせ、前記突起物が前記磁気ヘッドを通過する前に前記フライング・ハイトが前記基準フライング・ハイトよりも上昇し、前記突起物が前記磁気ヘッドを通過した後に前記フライング・ハイトが前記基準フライング・ハイトに戻るように前記ＦＨ制御機構を制御する請求項１記載の磁気ディスク装置。
【請求項４】
前記プロセッサは、前記突起物が存在するデータ・セクタが依存するサーボ・セクタよりも所定数だけ手前にあるサーボ・セクタが前記磁気ヘッドに到達したときに前記ＦＨ制御機構に前記操作情報に基づく操作信号を供給する請求項３記載の磁気ディスク装置。
【請求項５】
前記突起物が存在するデータ・セクタが依存するサーボ・セクタの両側に配置された所定数のサーボ・セクタを欠陥セクタとして登録した欠陥登録マップを備える請求項３記載の磁気ディスク装置。
【請求項６】
前記ＦＨ制御機構がヘッド・ジンバル・アセンブリのロード・ビームに取り付けられた圧電素子を含む請求項１記載の磁気ディスク装置。
【請求項７】
前記ＦＨ制御機構が前記ヘッド／スライダに取り付けられた圧電素子を含む請求項１記載の磁気ディスク装置。
【請求項８】
前記ＦＨ制御機構が前記ヘッド／スライダに組み込まれ前記磁気ヘッドの熱膨張量を制御するヒータを含む請求項１記載の磁気ディスク装置。
【請求項９】
磁気ヘッドのフライング・ハイトを制御するＦＨ制御機構を備えた磁気ディスク装置において前記磁気ヘッドのフライング・ハイトを制御する方法であって、
磁気ディスクの表面に存在する突起物の位置情報と、前記フライング・ハイトを制御して前記突起物と前記磁気ヘッドとの接触を回避するのに必要な前記ＦＨ制御機構の操作量に対応した操作情報を提供するステップと、
基準フライング・ハイトでシーク動作を開始するステップと、
前記シーク動作において前記磁気ヘッドが前記突起物を含むトラックを通過する前に前記フライング・ハイトが前記基準フライング・ハイトよりも上昇し、前記磁気ヘッドが前記突起物を含むトラックを通過した後に前記フライング・ハイトが前記基準フライング・ハイトに戻るように前記位置情報と前記操作情報に基づいて前記ＦＨ制御機構を制御するステップとを有し、
前記ＦＨ制御機構を制御するステップが、シーク動作を開始してから所定の時間が経過したときに前記フライング・ハイトが上昇するように前記操作情報に基づいて前記ＦＨ制御機構を制御する制御方法。
【請求項１０】
前記ＦＨ制御機構を制御するステップが、前記シーク動作を開始してから前記突起物が存在するトラックまで前記磁気ヘッドが移動する時間と前記シーク動作を開始するときの前記突起物の位置に基づいて前記磁気ヘッドが前記突起物を含むトラックを通過するときに前記基準フライング・ハイトを維持するステップを含む請求項９記載の制御方法。
【請求項１１】
フォローイング動作をするときに、前記突起物が前記磁気ヘッドを通過する前に前記フライング・ハイトが前記基準フライング・ハイトよりも上昇し、前記突起物が前記磁気ヘッドを通過した後に前記フライング・ハイトが前記基準フライング・ハイトに戻るように前記位置情報と前記操作情報に基づいて前記ＦＨ制御機構を制御するステップを有する請求項９記載の制御方法。
【請求項１２】
前記突起物が存在するデータ・セクタが依存するサーボ・セクタより所定数手前のサーボ・セクタが基準フライング・ハイトで浮上する前記磁気ヘッドに到達したときに前記フライング・ハイトが上昇を開始するように前記位置情報と前記操作情報に基づいて前記ＦＨ制御機構を制御するステップを有する請求項１１記載の制御方法。
【請求項１３】
前記フライング・ハイトが上昇を開始して所定時間経過してから前記フライング・ハイトが下降を開始するステップを有する請求項１１記載の制御方法。
【請求項１４】
フライング・ハイトを制御するＦＨ制御機構とプロセッサが参照可能な参照テーブルを備えた磁気ディスク装置を製造する方法であって、
磁気ディスクに試験データを書き込むステップと、
基準フライング・ハイトで磁気ヘッドを浮上させ前記試験データを再生するステップと、
前記再生するステップにおいて前記磁気ヘッドと前記磁気ディスク上の突起物の接触を検出し前記突起物の位置情報を前記参照テーブルに登録するステップと、
前記突起物と前記磁気ヘッドの接触を回避するのに必要な前記ＦＨ制御機構の操作量に対応した操作情報を前記参照テーブルに登録するステップとを有し、
前記磁気ヘッドがＭＲ再生ヘッド又はＧＭＲ再生ヘッドを含み、前記操作情報を前記参照テーブルに登録するステップが、前記ＦＨ制御機構に単位操作量ずつ変化した操作量を供給して前記フライング・ハイトを基準フライング・ハイトから漸次上昇させ、前記ＭＲ再生ヘッド又は前記ＧＭＲ再生ヘッドと前記突起物との接触によるサーマル・アスペリティの消失を検出するステップを含む製造方法。
【請求項１５】
前記磁気ヘッドがＭＲ再生ヘッド又はＧＭＲ再生ヘッドを含み、前記操作情報を前記参照テーブルに登録するステップが、前記ＦＨ制御機構に単位操作量ずつ変化した操作量を供給して前記フライング・ハイトをサーマル・アスペリティを発生しない値から漸次下降させてサーマル・アスペリティの発生を検出するステップを含む請求項１４記載の製造方法。
【請求項１６】
前記突起物を含むデータ・セクタが依存するサーボ・セクタの両側に配置された所定数のサーボ・セクタを欠陥登録するステップを有する請求項１４記載の製造方法。
【手続補正書】
【提出日】平成20年10月17日(2008.10.17)
【手続補正１】
【補正対象書類名】明細書
【補正対象項目名】００２２
【補正方法】変更
【補正の内容】
【００２２】
上記電源検出回路は、ホスト側からの電源電圧ＶＣＣを受けて、その電源起動と遮断を検出する。この検出信号は、ゲート回路Ｇの一方の入力に供給される。このゲート回路Ｇの他方の入力にはコントロール線を通したコントロール信号が供給される。ゲート回路Ｇは、例えばナンド（ＮＡＮＤ）ゲート回路のような論理回路からなり、電源起動又は遮断に対応した信号、あるいはコントロール線から供給される制御信号に対応してスイッチＳＷの制御や後述するような不揮発性メモリと揮発性メモリとの間でのデータ転送動作の指示に用いられる。
【手続補正２】
【補正対象書類名】明細書
【補正対象項目名】００２９
【補正方法】変更
【補正の内容】
【００２９】
そして、上記電源供給によって上記不揮発性メモリに対してホスト側から書き込み又は読み出しが行われる際において、データの書き込みや読み出しのために上記ファイル管理情報の読み出しや書き込みは、上記不揮発性メモリのファイル管理情報（２）が用いられるのではなく、揮発性メモリの上記シャドー情報（１）が用いられる。このとき、コントローラ部において、ホスト側から入力されるデータのアドレス（１）が（１）＜２０ｈならファイル管理情報と判定されると、揮発性メモリの上記先頭アドレスから２０ｈまでのエリアに対してメモリアクセスが行われてシャドー情報（１）の更新が行われる。
【手続補正書】
【提出日】平成20年1月16日(2008.1.16)
【手続補正１】
【補正対象書類名】特許請求の範囲
【補正対象項目名】請求項１
【補正方法】変更
【補正の内容】
【請求項１】
前払い料金もしくは前払い料金に相当するガス使用可能量が設定され、設定された前払い料金もしくは前払い料金に相当するガス使用可能量に達するまでガスの使用が可能とされるプリペイド式ガス供給制御システムであって、
ガス使用量が前払い料金もしくは前払い料金に相当するガス使用可能量に達したか否かを判定する第１の判定手段と、
前記第１の判定手段でガス使用量が前払い料金もしくは前払い料金に相当するガス使用可能量に達したと判定された場合に、遮断弁を弁閉するように制御すると共に、前記遮断弁の弁閉時から所定時間経過した時に、前記遮断弁を自動復帰させる制御手段と、
前記遮断弁の自動復帰後、ガス使用量が予め決められたガス使用可能量猶予分に達したか否かを判定する第２の判定手段とを備え、
前記制御手段は、前記第２の判定手段で、ガス使用量が予め決められたガス使用可能量猶予分に達したと判定された場合に、前記遮断弁を再度弁閉するように制御する
ことを特徴とするプリペイド式ガス供給制御システム。
【手続補正書】
【提出日】平成20年2月28日(2008.2.28)
【手続補正１】
【補正対象書類名】特許請求の範囲
【補正対象項目名】全文
【補正方法】変更
【補正の内容】
【特許請求の範囲】
【請求項１】
グラフィカルユーザインタフェース画面上にボタンコントロールを表示する表示制御手段と、
前記表示制御手段により表示された前記ボタンコントロールに対してドラッグ操作を行なうドラッグ操作手段と、
前記ドラッグ操作手段により前記ボタンコントロールに対して行なわれるドラッグ操作の状況を検出する検出手段と、
前記検出手段により検出されたドラッグ操作の状況に基づいて当該ドラッグ操作に係るボタンコントロールによる機能の選択を確定する確定手段と、
を有することを特徴とするボタン制御装置。
【請求項２】
前記検出手段は、ドラッグの方向と距離を検出し、前記確定手段は、該検出手段により検出されたドラッグの方向が所定方向であり、ドラッグの距離が所定値以上の場合に当該ドラッグ操作に係るボタンコントロールによる機能の選択を確定することを特徴とする請求項１に記載のボタン制御装置。
【請求項３】
前記表示制御手段は、押しボタン部と押下ストローク部を有する形状のボタンコントロールを表示し、該ボタンコントロールが前記ドラッグ操作手段により前記グラフィカルユーザインタフェース画面上の下方向にドラッグされるに従って押下ストローク部が減少していくように該ボタンコントロールの表示態様を変化させることを特徴とする請求項１に記載のボタン制御装置。
【請求項４】
前記確定手段は、前記表示制御手段により前記押下ストローク部が表示されなくなった時点で、当該ドラッグ操作に係るボタンコントロールによる機能の選択を確定することを特徴とする請求項２又は３に記載のボタン制御装置。
【請求項５】
前記表示制御手段は、所定の領域内で移動可能な前記ボタンコントロールを表示し、前記ドラッグ操作手段によるドラッグ操作に応じて該領域内での該ボタンコントロールの表示位置を変化させることを特徴とする請求項１に記載のボタン制御装置。
【請求項６】
前記確定手段は、前記表示制御手段により前記ボタンコントロールが前記領域の端部に移動表示された時点で、当該ドラッグ操作に係るボタンコントロールによる機能の選択を確定することを特徴とする請求項２又は５に記載のボタン制御装置。
【請求項７】
前記確定手段は、前記検出手段は、ドラッグの方向と速さを検出し、前記確定手段は、該検出手段により検出されたドラッグの方向が所定方向であり、ドラッグの速さが所定値以上の場合に当該ドラッグ操作に係るボタンコントロールによる機能の選択を確定することを特徴とする請求項１に記載のボタン制御装置。
【請求項８】
グラフィカルユーザインタフェース画面上にボタンコントロールを表示する表示制御工程と、
前記表示制御工程により表示された前記ボタンコントロールに対してドラッグ操作を行なうドラッグ操作工程と、
前記ドラッグ操作工程により前記ボタンコントロールに対して行なわれるドラッグ操作の状況を検出する検出工程と、
前記検出工程により検出されたドラッグ操作の状況に基づいて当該ドラッグ操作に係るボタンコントロールによる機能の選択を確定する確定工程と、
を有することを特徴とするボタン制御方法。
【請求項９】
ボタン制御方法をコンピュータに実行させるプログラムであって、
前記ボタン制御方法は、
グラフィカルユーザインタフェース画面上にボタンコントロールを表示する表示制御工程と、
前記表示制御工程により表示された前記ボタンコントロールに対してドラッグ操作を行なうドラッグ操作工程と、
前記ドラッグ操作工程により前記ボタンコントロールに対して行なわれるドラッグ操作の状況を検出する検出工程と、
前記検出工程により検出されたドラッグ操作の状況に基づいて当該ドラッグ操作に係るボタンコントロールによる機能の選択を確定する確定工程と、
を有することを特徴とするプログラム。
【手続補正２】
【補正対象書類名】明細書
【補正対象項目名】発明の名称
【補正方法】変更
【補正の内容】
【発明の名称】ボタン制御装置及び方法、並びにプログラム
【手続補正３】
【補正対象書類名】明細書
【補正対象項目名】０００１
【補正方法】変更
【補正の内容】
【０００１】
本発明は、ボタン制御装置及び方法、並びにプログラムに関し、特に、グラフィカルユーザインタフェースとしてのボタンコントロールによる機能の選択技術に関する。
【手続補正４】
【補正対象書類名】明細書
【補正対象項目名】０００８
【補正方法】変更
【補正の内容】
【０００８】
上記課題を解決するため、請求項１記載のボタン制御装置は、グラフィカルユーザインタフェース画面上にボタンコントロールを表示する表示制御手段と、前記表示制御手段により表示された前記ボタンコントロールに対してドラッグ操作を行なうドラッグ操作手段と、前記ドラッグ操作手段により前記ボタンコントロールに対して行なわれるドラッグ操作の状況を検出する検出手段と、前記検出手段により検出されたドラッグ操作の状況に基づいて当該ドラッグ操作に係るボタンコントロールによる機能の選択を確定する確定手段と、を有することを特徴とする。
請求項８記載のボタン制御方法は、グラフィカルユーザインタフェース画面上にボタンコントロールを表示する表示制御工程と、前記表示制御工程により表示された前記ボタンコントロールに対してドラッグ操作を行なうドラッグ操作工程と、前記ドラッグ操作工程により前記ボタンコントロールに対して行なわれるドラッグ操作の状況を検出する検出工程と、前記検出工程により検出されたドラッグ操作の状況に基づいて当該ドラッグ操作に係るボタンコントロールによる機能の選択を確定する確定工程と、を有することを特徴とする。
請求項９記載のプログラムは、ボタン制御方法をコンピュータに実行させるプログラムであって、前記ボタン制御方法は、グラフィカルユーザインタフェース画面上にボタンコントロールを表示する表示制御工程と、前記表示制御工程により表示された前記ボタンコントロールに対してドラッグ操作を行なうドラッグ操作工程と、前記ドラッグ操作工程により前記ボタンコントロールに対して行なわれるドラッグ操作の状況を検出する検出工程と、前記検出工程により検出されたドラッグ操作の状況に基づいて当該ドラッグ操作に係るボタンコントロールによる機能の選択を確定する確定工程と、を有することを特徴とする。
【手続補正５】
【補正対象書類名】明細書
【補正対象項目名】０００９
【補正方法】変更
【補正の内容】
【０００９】
本発明によれば、ボタンコントロールを所定方向に所定距離だけドラッグすること等により、当該ボタンコントロールによる機能の選択を確定するようにしたので、簡単な構成・操作、狭い表示部でボタンコントロールの誤操作を低減し得る。
【手続補正書】
【提出日】平成19年12月6日(2007.12.6)
【手続補正１】
【補正対象書類名】特許請求の範囲
【補正対象項目名】全文
【補正方法】変更
【補正の内容】
【特許請求の範囲】
【請求項１】
コピー制限を示す第１の情報と暗号化による保護の要否を設定する第２の情報とが付加されて伝送されたデジタル信号を受信してデジタルインタフェイスより出力するデジタル信号出力装置において、
前記デジタル情報を受信する受信手段と、
前記受信手段によって受信されたデジタル情報を複数の暗号化モードで暗号化可能な暗号化手段と、
前記暗号化手段によって暗号化されたデジタル情報を前記デジタルインタフェイスより出力する出力手段と、
前記受信手段によって受信したデジタル情報より前記第１の情報と前記第２の情報を検出し、検出した情報に基づいて前記暗号化手段と前記出力手段を制御する制御手段とを備え、
前記第１の情報には、少なくともコピー可であることを示す第１の状態と１回コピー可であることを示す第２の状態とコピー禁止であることを示す第３の状態があり、
前記制御手段は、前記第１の情報が第１の状態でかつ前記第２の情報が保護不要であることを示しているときには暗号化を行わないで出力し、前記第１の情報が第１の状態でかつ前記第２の情報が保護要であることを示しているとき、及び、前記第１の情報が第２の状態であるときには前記暗号化手段において第１の暗号化モードで暗号化して出力し、前記第１の情報が第３の状態であるときには前記暗号化手段において第２の暗号化モードで暗号化して出力することを特徴とするデジタル信号出力装置。
【請求項２】
コピー制限を示す第１の情報と暗号化による保護の要否を設定する第２の情報とが付加されて伝送されたデジタル信号を受信してデジタルインタフェイスより出力するデジタル信号出力方法において、
前記第１の情報には、少なくともコピー可であることを示す第１の状態と１回コピー可であることを示す第２の状態とコピー禁止であることを示す第３の状態があり、
前記デジタル情報を受信し、
前記受信したデジタル情報より前記第１の情報と前記第２の情報を検出し、
前記検出した前記第１の情報が第１の状態でかつ前記第２の情報が保護不要であることを示しているときには暗号化を行わないで出力し、前記第１の情報が第１の状態でかつ前記第２の情報が保護要であることを示しているとき、及び、前記第１の情報が第２の状態であるときには前記暗号化手段において第１の暗号化モードで暗号化して出力し、前記第１の情報が第３の状態であるときには前記暗号化手段において第２の暗号化モードで暗号化して出力することを特徴とするデジタル信号出力方法。
【手続補正２】
【補正対象書類名】明細書
【補正対象項目名】０００５
【補正方法】変更
【補正の内容】
【０００５】
上記目的は、その一例として特許請求の範囲に記載の構成により達成できる。
【手続補正３】
【補正対象書類名】明細書
【補正対象項目名】０００６
【補正方法】削除
【補正の内容】
【手続補正書】
【提出日】平成20年2月7日(2008.2.7)
【手続補正１】
【補正対象書類名】特許請求の範囲
【補正対象項目名】全文
【補正方法】変更
【補正の内容】
【特許請求の範囲】
【請求項１】
リチウムを含有しかつリチウムイオンを吸蔵および放出し得る母材粒子の上に、元素Ａの化合物粒子（但し、ＡはＹｂ又はＣｅ）が点在して配されている正極活物質。
【請求項２】
前記母材粒子の上に配されている前記元素Ａの化合物粒子の最大粒径は、該化合物粒子が配されている前記母材粒子の粒径の０．０１倍以上０．１倍以下である請求項１記載の正極活物質。
【請求項３】
前記元素Ａの化合物は、前記母材粒子の重量に対して、元素Ａの酸化物換算で０．５重量％以上５重量％以下配されている請求項１又は２記載の正極活物質。
【請求項４】
前記母材粒子は、α−ＮａＦｅＯ2型結晶構造を有し、組成式ＬｉxＭｎaＮｉbＣｏcＯd（但し、０≦ｘ≦１．３、ａ＋ｂ＋ｃ＝１、｜ａ−ｂ｜≦０．０３、０≦ｃ＜１、１．７≦ｄ≦２．３）で表されるリチウム含有遷移金属酸化物からなる請求項１〜３のいずれかに記載の正極活物質。
【請求項５】
請求項１〜４のいずれかに記載の正極活物質を含む正極を備えた電池。
【請求項６】
リチウムを含有しかつリチウムイオンを吸蔵および放出し得る母材粒子と、元素Ａのカルコゲン化合物（但し、ＡはＹｂ又はＣｅ）粒子とを混合し、熱処理を行うことにより、前記母材粒子の上に元素Ａが存在し得るように元素Ａを付与する正極活物質の製造方法。
【請求項７】
前記熱処理の温度は９００℃以上である請求項６記載の正極活物質の製造方法。